(57)【要約】【課題】棚ユニットを一対のブラケットに沿って安定してスムーズに移動させることができる棚装置を提供する。【解決手段】係止孔７，７，…を有する一対の被取付部材２，２’と、係止孔７，７，…に挿通される係止片５０ｃ，…，５０ｃ’を有する一対のブラケット５０，５０’と、ブラケット５０，５０’の側面Ｇ１，…，Ｇ４’に案内される案内部５５，５５’を一対有する棚ユニット５と、を備える棚装置１であって、一方のブラケット５０および他方のブラケット５０’は、架設される横杆部材５３により連結されるとともに、係止片５０ｃ，…，５０ｃ’と左右方向に離間し係止片５０ｃ，…，５０ｃ’と対向して配置された突出片５２，５２’がそれぞれ固定されている。【選択図】図７
2019136229.tif 000002
【特許請求の範囲】
【請求項１】
係止孔を有する一対の被取付部材と、前記係止孔に挿通される係止片を有する一対のブラケットと、前記ブラケットの側面に案内される案内部を一対有する棚ユニットと、を備える棚装置であって、
一方の前記ブラケットおよび他方の前記ブラケットは、架設される横杆部材により連結されるとともに、前記係止片と左右方向に離間し該係止片と対向して配置された突出片がそれぞれ固定されていることを特徴とする棚装置。
【請求項２】
一対の前記突出片は、後端部が前記係止片よりも後方に配置されることを特徴とする請求項１に記載の棚装置。
【請求項３】
前記横杆部材は、前記突出片に架設されることを特徴とする請求項１または２に記載の棚装置。
【請求項４】
前記横杆部材は、平板状の金属板から形成されており、後方側に向けて開口する側面視コ字状に形成されていることを特徴とする請求項１ないし３のいずれかに記載の棚装置。
【請求項５】
前記突出片は、平板状の金属板から形成されており、下端部が左方向または右方向に折り曲げられていることを特徴とする請求項１ないし４のいずれかに記載の棚装置。
【発明の詳細な説明】
【技術分野】
【０００１】
本発明は、商品を陳列する棚装置に関する。
【背景技術】
【０００２】
従来、前端部に係止孔が複数配置された支柱（被取付部材）と、係止孔に係止される係止片を有する左右一対のブラケットと、一対のブラケット上に載置される棚部材と、を備え、該棚部材の上に商品を陳列できるようにした棚装置が一般的に知られており、商品の陳列作業や補充作業を容易に行うために棚部材を一対のブラケットに沿って前後方向にスライド移動可能とした棚装置もある（例えば、特許文献１）。
【０００３】
特許文献１に示される棚装置は、係止片により支柱の係止孔に係止された左右一対のブラケットと、低摩擦部材（案内部）を有する棚ユニットと、を備え、棚ユニットは、棚部材に固定された一対の低摩擦部材を介して一対のブラケットに取付けられており、当該ブラケットに沿ってスライド移動可能である。棚部材は、金属板により形成されており、商品を陳列可能に略水平方向に配置される平板部には左右両端から下方に略直交して折れ曲がった側壁部が連接されており、両側壁部の内壁には、下方に開放する断面コ字状の低摩擦部材がそれぞれ固定されている。棚ユニットは、低摩擦部材がブラケットの上端部を挟むように外嵌した状態で当該ブラケットの上端部に載置されている。これにより、低摩擦部材は、棚ユニットを前後にスライド移動させる際に、ブラケットの側面と摺接することで当該移動を案内可能となっている。
【０００４】
ところで、支柱の係止孔とブラケットの係止片とは、係止片の着脱を容易にするために、係止孔を画成する縁部と係止片との間にて前後左右方向に隙間ができる寸法関係である。そのため、支柱に係止されたブラケットは、上述した隙間分、支柱との係止部分を支点として左右方向に傾斜したり、係止孔内を左右方向に移動したりすることがある。これを防止するために、例えば、特許文献２に示されるように、直線状に形成された横杆部材で一対のブラケット同士を連結することで、一対のブラケット同士の平行関係を保持するようにしたものがある。
【先行技術文献】
【特許文献】
【０００５】
【特許文献１】特開２０１７−６３８３３号公報（第７，８頁、第３図）
【特許文献２】実用新案登録第３１０９５４９号公報（第４，５頁、第１図）
【発明の概要】
【発明が解決しようとする課題】
【０００６】
しかしながら、特許文献１の一対のブラケットを特許文献２に記載の横杆部材で連結すると、一対のブラケット同士の平行関係は保持できるものの、一対のブラケットが支柱との係止部分を支点として左右方向に同じ角度だけ揺動することで支柱の前端面から略垂直前方に延びる仮想線に対して上面視傾斜する場合がある。この場合の一方のブラケットの係止部分から他方のブラケットまでの最短の寸法は、一対の係止孔間の寸法よりも短くなる。これに対して、一対の低摩擦部材間の幅寸法は、固定的であって、一対の係止孔間の寸法と略同一寸法である。そのため、一対のブラケットが揺動すると、当該ブラケットにより一対の低摩擦部材が挟圧された状態となり、スライド移動に伴い強い摩擦力が発生し、スムーズな当該スライド移動を妨げる虞があった。
【０００７】
本発明は、このような問題点に着目してなされたもので、棚ユニットを一対のブラケットに沿って安定してスムーズに移動させることができる棚装置を提供することを目的とする。
【課題を解決するための手段】
【０００８】
前記課題を解決するために、本発明の棚装置は、
係止孔を有する一対の被取付部材と、前記係止孔に挿通される係止片を有する一対のブラケットと、前記ブラケットの側面に案内される案内部を一対有する棚ユニットと、を備える棚装置であって、
一方の前記ブラケットおよび他方の前記ブラケットは、架設される横杆部材により連結されるとともに、前記係止片と左右方向に離間し該係止片と対向して配置された突出片がそれぞれ固定されていることを特徴としている。
この特徴によれば、一方のブラケットに一方の被取付部材との係止部分を支点として一方の突出片が配置されている側へ回動させる力が作用すると、一方の突出片が被取付部材の側端面に当接するため、当該回動が規制される。一方、一方のブラケットに一方の被取付部材との係止部分を支点として一方の突出片とは反対側へ回動させる力が作用すると、横杆部材で連結された他方のブラケットが他方の被取付部材との係止部分を支点として他方の突出片が配置されている側へ回動しようとし、他方の突出片が被取付部材の側端面に当接するため、当該回動が規制される。このように、一方の被取付部材との係止部分から他方のブラケットまでの最短の寸法は、一対の係止孔間の寸法および一対の案内部間の寸法と略同一寸法に保持される。一方と他方が入れ替わった際でも同様である。これらのことから、棚ユニットを一対のブラケットに沿って安定してスムーズに移動させることができる。
【０００９】
一対の前記突出片は、後端部が前記係止片よりも後方に配置されることを特徴としている。
この特徴によれば、突出片の被取付部材に接触可能な領域が広くなっている。そのため、モーメントアームが長く、より確実にブラケットの揺動や移動を規制することができる。
【００１０】
前記横杆部材は、前記突出片に架設されることを特徴としている。
この特徴によれば、横杆部材が一対の被取付部材の間に架設されることで、横杆部材により一対の突出片同士の相対位置が保持されるとともに、一対の突出片それぞれの変形を防止することができる。
【００１１】
前記横杆部材は、平板状の金属板から形成されており、後方側に向けて開口する側面視コ字状に形成されていることを特徴としている。
この特徴によれば、横杆部材の剛性が高く、自身が変形し難い。
【００１２】
前記突出片は、平板状の金属板から形成されており、下端部が左方向または右方向に折り曲げられていることを特徴としている。
この特徴によれば、突出片の剛性が高く、自身が変形し難い。
【図面の簡単な説明】
【００１３】
【図１】本発明の実施例における棚装置の構造を示す斜視図である。
【図２】棚装置の要部の構造を示す分解斜視図である。
【図３】（ａ）は、ブラケットの構造を示す上面図、（ｂ）は、同じく側面図、（ｃ）は、同じく正面図である。
【図４】被取付部材に取付けられたブラケットを説明する上断面図である。
【図５】（ａ）は、棚ユニットが後退位置にある状態を示す側断面図、（ｂ）は、棚ユニットが前進位置にある状態を示す側断面図である。
【図６】図示略の棚ユニットが後退位置にある状態を示す棚装置の上断面図である。
【図７】図示略の棚ユニットが前進位置にある状態を示す棚装置の上断面図である。
【図８】棚板に商品が陳列された状態を示す側断面図である。
【図９】ブラケットおよび棚ユニットが被取付部材に傾斜して取付けられた態様を示す側断面図である。
【図１０】（ａ）は、変形例における連結前の突出片および横杆部材を示す斜視図であり、（ｂ）は、変形例における連結後の突出片および横杆部材を示す斜視図である。
【発明を実施するための形態】
【００１４】
本発明に係る棚装置を実施するための形態を実施例に基づいて以下に説明する。
【実施例】
【００１５】
実施例に係る棚装置につき、図１から図１０を参照して説明する。以下、棚装置１の棚板５１側を正面側とし、正面側から見たときの上下左右前後方向を基準として説明する。尚、図１〜図８では、棚ユニット５が略水平に配置されており、特に断らない限り、棚ユニット５が略水平に配置されているものとして説明する。また、本実施例において、当接可能とは、平時において当接していないものの、揺れや振動に応じて当接するように近接配置されている状態を意味している。
【００１６】
本実施例の棚装置１は、スーパーマーケットやコンビニエンスストア等で商品を陳列する商品陳列棚である。尚、棚装置１は、商品陳列棚に限られず、倉庫や事務所等で物品を収納する物品収納棚として利用してもよい。
【００１７】
図１，図２に示されるように、棚装置１は、左右に離間する一対の支柱２，２’（被取付部材）と、一対の支柱２，２’の上端部と下端部との対向面同士を連結している横連結杆３，３（図１参照）と、一対の支柱２，２’と横連結杆３，３とで構成された矩形状の枠内に固定される格子状の背面パネル４と、一対の支柱２，２’の前端部側に取付けられた一対のブラケット５０，５０’（図２参照）と、棚板５１を有し一対のブラケット５０，５０’に前後方向にスライド移動可能に支持された棚ユニット５と、から主に構成されている。棚ユニット５は、棚板５１に可動部材５５，５５’（案内部：図２参照）が固定されて構成されており商品が陳列可能となっている。一対の支柱２，２’は、脚部６，６（図１参照）を有して自立可能となっているとともに、前端部には、上下方向に１列に並ぶ多数のスリット７，７，…（係止孔）が設けられている。
【００１８】
図２，図４に示されるように、一対の支柱２，２’の前端部に左右一対のブラケット５０，５０’が取付けられており、一対のブラケット５０，５０’の後端部同士は一対の突出片５２，５２’（図４参照）を介してチャンネル杆５３（横杆部材）により相互に連結固定されており、一対のブラケット５０，５０’の載置部５０ｂ，５０ｂ’上に一対の可動部材５５，５５’（図２参照）が前後にスライド移動可能に載置されており、可動部材５５，５５’には棚板５１（図２参照）が載置・固定されている。尚、図４では、一対のブラケット５０，５０’の最上段に位置するフック５０ｃ，５０ｃ’が遊嵌されたスリット７，７の上端部を境に図示している。
【００１９】
次に、右側のブラケット５０の構造を図２，図３に基づいて説明する。また、以降の説明において、特に断らない限り当該ブラケット５０と略対称形状である左側のブラケット５０’の説明については省略する。ブラケット５０以外の他の部材についても同様である。
【００２０】
図３に示されるように、ブラケット５０は、平板状の金属板から成り、前後方向に延びる平板状のアーム板５０ａと、アーム板５０ａの上端縁から左方に略直交して折れ曲がった平板状の載置部５０ｂと、アーム板５０ａの後端に設けられる下向き鉤状のフック５０ｃ，５０ｃ，…（係止片）と、から側面視略横向きＬ字状かつ正面視Ｌ字状に形成されており、アーム板５０ａの後部において上下方向の略中央には、上面視段状の突出片５２が溶接固定されている。
【００２１】
ブラケット５０のアーム板５０ａの上端部が左方（尚、左側のブラケット５０’にあっては右方）に折曲げられて、ブラケット５０の載置部５０ｂが形成されている。
【００２２】
図２，図３（ｃ）に示されるように、ブラケット５０の載置部５０ｂの前端部には、金属製のブラケット５０よりも摩擦係数が小さい合成樹脂から成る第１低摩擦部材１１が固定されている。第１低摩擦部材１１は、載置部５０ｂの前端部を外嵌するように正面視下向きコ字状に形成されている。また、第１低摩擦部材１１の上端には、前後方向に直線状に延びる突条状のリブが複数形成されており、第１低摩擦部材１１の上端面Ｓ１は凹凸形状となっている。
【００２３】
ここで、ブラケット５０は、第１低摩擦部材１１の右側面Ｇ１と、ブラケット５０のアーム板５０ａから載置部５０ｂにかけて連続する右側面Ｇ２と、第１低摩擦部材１１の左側面Ｇ３と、載置部５０ｂの左側面Ｇ４と、を側面として有している。
【００２４】
図２，図４に示されるように、ブラケット５０の載置部５０ｂには、第１低摩擦部材１１の後方に、ブラケット５０’側に突出する規制プレート５８がボルトナットを介して固定されている。規制プレート５８には、ブラケット５０’側の端部に上方に突出する鉤状の規制片５８ａが形成されている。
【００２５】
図２に示されるように、フック５０ｃ，５０ｃ，…を、支柱２の前端部に設けられたスリット７，７，…に遊嵌・係止させることで、ブラケット５０は支柱２の前端部に片持ち支持される。ここで、本実施例におけるブラケット５０は、フック５０ｃ，５０ｃ，…のスリット７，７，…への係止位置を変更することで、上端面Ｓ１，Ｓ２を略水平（図８参照）、または、俯角１５度傾斜させて支柱２に取付けることができる（図９参照）。尚、上端面Ｓ１，Ｓ２の傾斜角度については、具体的な数値を限定するものではなく、以下の数値についても同様である。
【００２６】
次に、右側のブラケット５０に固定された突出片５２の構造を図３，図４に基づいて説明する。
【００２７】
図３に示されるように、突出片５２は、平板状の金属板が曲げ加工されることで段状に形成されており、前側から順に、側面視長方形状の板状である前端部５２ａと、前端部５２ａの後端部から左方に略直交して折れ曲がった板状の第１延設部５２ｂと、第１延設部５２ｂの左端部から後方に略直交して折れ曲がった板状の第２延設部５２ｃと、第２延設部５２ｃの後端部から左方に略直交して折れ曲がった板状の後端部５２ｄと、から構成されており、第２延設部５２ｃは、下端部から左方に略直交して折れ曲がったウィング形状かつ板状のテーパー部５２ｅを備えている。
【００２８】
図４に示されるように、突出片５２は、ブラケット５０を支柱２に取付けた際に、支柱２の前端面２ａに第１延設部５２ｂの上端部が、支柱２の左側端面２ｂに第２延設部５２ｃがそれぞれ当接可能、かつ、突出片５２の第２延設部５２ｃの後端および後端部５２ｄがブラケット５０のフック５０ｃ，５０ｃ，…よりも後方に配置される位置となるようにブラケット５０に溶接固定されている。支柱２の前端面２ａと第１延設部５２ｂとの距離は、好ましくはスリット７の左右方向の長さである幅寸法よりも短いこと、より好ましくはスリット７に対するフック５０ｃの遊び（スリット７の幅寸法からフック５０ｃの厚さを減じた寸法）よりも短いことが好ましい。支柱２の左側端面２ｂと第２延設部５２ｃとの間の距離についても同様である。また、図３に示されるように、溶接固定された突出片５２は仰角１５度で傾斜している。
【００２９】
尚、左側の突出片５２’は、右側の突出片５２と同様に溶接固定されており、支柱２’の前端面２ａ’に第１延設部５２ｂ’が、支柱２’の右側端面２ｂ’に第２延設部５２ｃ’がそれぞれ当接可能、かつ、突出片５２’の第２延設部５２ｃ’の後端および後端部５２ｄ’がブラケット５０のフック５０ｃ’，５０ｃ’，…よりも後方に配置されている。
【００３０】
図４に示されるように、ブラケット５０を支柱２に取付ける際に、突出片５２とブラケット５０のフック５０ｃとの間に、支柱２の左側端面２ｂからスリット７の側縁にかけての左側部（以降、「支柱２の左側部」と記載）を嵌入させることで、スリット７に対するフック５０ｃの取付け位置を案内することができる。ブラケット５０’についても同様である。
【００３１】
図２，図４に示されるように、一対のブラケット５０，５０’は、一対の突出片５２，５２’を介して左右方向に延びるチャンネル杆５３で連結されている。一対の突出片５２，５２’の後端部５２ｄ，５２ｄ’は、平板状の金属板を折曲げて側面視コ字状に形成されたチャンネル杆５３に左右方向から挿入され、一対の突出片５２，５２’の後端部５２ｄ，５２ｄ’に形成された二つの貫通孔と、チャンネル杆５３の両端部に形成された貫通孔と、に挿通されたボルトがナットにより緊締されている。このようにして、一対のブラケット５０，５０’は、互いに略平行に配置されるとともに、当該ブラケット５０，５０’とチャンネル杆５３とにより上面視コ字状を成している。
【００３２】
また、一対の突出片５２，５２’の後端部５２ｄ，５２ｄ’の前方側からコ字状のチャンネル杆５３が外嵌されていることから、正面方向から見た際に、左右方向に長尺な略四角柱状に見えるとともに、後端部５２ｄ，５２ｄ’が覆われることで視認し難くなるため美観性が良い。
【００３３】
また、一対のブラケット５０，５０’はチャンネル杆５３で連結されているから、一対の支柱２，２’のスリット７，７に対するフック５０ｃ，５０ｃ’の位置合わせが容易である。
【００３４】
図２に戻って、左右一対の可動部材５５，５５’は前部同士を連結杆５６で相互に連結されている。左右一対の可動部材５５，５５’と連結杆５６により上面視コ字状に形成されている。一対の可動部材５５，５５’の上端面には、棚板５１の裏面側に設けられた鉤状の爪部が係合される係合プレート５９，５９がそれぞれ溶接固定されている。
【００３５】
次いで、右側の可動部材５５の構造を図２，図５に基づいて説明する。尚、図５では、説明の都合上、支柱２の左側端部、可動部材５５の側端部５５ｃ、連結杆５６、ストッパ５７、規制プレート５８、係合プレート５９の図示を省略し、棚板５１を一点鎖線にて図示している。
【００３６】
可動部材５５は、平板状の金属板から成り、前後方向に延びる板状の基部５５ａと、基部５５ａの左右それぞれの側端縁から下方に略直交して折れ曲がった板状の側端部５５ｂ，５５ｃ（図２参照）と、を有し、ブラケット５０の載置部５０ｂに外嵌するように断面視下向きコ字状に形成されている。
【００３７】
可動部材５５の側端部５５ｂ，５５ｃの後端部には正面視下向きコ字状の第２低摩擦部材１２（図５、図６を参照。）が固定され、第２低摩擦部材１２はブラケット５０の載置部５０ｂに外嵌するようになっている。第２低摩擦部材１２は第１低摩擦部材１１と同じ合成樹脂から成っている。また、第２低摩擦部材１２の裏部には、前後方向に直線状に延びる突条状のリブ（図示略）が複数形成されており、第２低摩擦部材１２の下端面Ｆ１は凹凸形状となっている。
【００３８】
また、可動部材５５の左側の側端部５５ｃには正面視Ｌ字状の第３低摩擦部材１３が固定され、載置部５０ｂの裏面と摺動可能となっている。第３低摩擦部材１３は第１低摩擦部材１１と同じ合成樹脂から成っている。第３低摩擦部材１３は、側部がブラケット５０の左側面Ｇ４に当接可能に配置され、上端には、前後方向に直線状に延びる突条状のリブが略平行に左右方向に並んで複数形成されており、第３低摩擦部材１３の上端面Ｃは凹凸形状となっている。
【００３９】
図２，図６に示されるように、一対の可動部材５５，５５’は、前端側の左端，右端に金属の押出成形によりチャンネル状に形成された連結杆５６が溶接固定されて、互いに連結されている。すなわち、一対の可動部材５５，５５’は、互いに略平行に配置されるとともに、当該一対の可動部材５５，５５’に対して連結杆５６は直交しており、一対の可動部材５５，５５’および連結杆５６は上面視コ字状を成している。尚、図６では、説明の都合上、棚板５１の図示を省略している。
【００４０】
また、連結杆５６の左右端部には、連結杆５６の下端部から前方に突出する左右一対のストッパ５７，５７が回動可能に取付けられ、ストッパ５７，５７には、規制プレート５８，５８の規制片５８ａ，５８ａに係合される規制孔５７ａ，５７ａが形成されている。
【００４１】
次に、図５〜図７を用いて、一対のブラケット５０，５０’に載置した棚ユニット５のスライド移動について説明する。尚、図６，図７では、説明の都合上、棚板５１の図示を省略している。
【００４２】
図５（ａ），図６に示されるように、上端面Ｓ１，Ｓ２が略水平に配置されたブラケット５０の載置部５０ｂに可動部材５５が外嵌され、かつ、ストッパ５７の規制孔５７ａと規制プレート５８の規制片５８ａとが係合されている位置（以降、この位置のことを「後退位置」と記載）（図６参照）にある際に、棚ユニット５は規制孔５７ａと規制片５８ａとの係合により前後へのスライド移動が規制されている。
【００４３】
ストッパ５７を回動させ、規制片５８ａからストッパ５７の規制孔５７ａを離脱させることで、図５（ｂ），図７に示されるように、棚ユニット５を所望の前進位置にスライド移動させることができる。
【００４４】
ここで、図５に示されるように、棚ユニット５のスライド移動において、可動部材５５の下端面Ｆ２はブラケット５０の上端面Ｓ１に、可動部材５５の下端面Ｆ１はブラケット５０の載置部５０ｂの上端面Ｓ２に、それぞれ摺接しながらスライド移動する。上端面Ｓ１と下端面Ｆ１とは、上述したように凹凸形状となっていることから、当該スライド移動に伴い発生する摩擦力が小さい。
【００４５】
また、同様に、図６，図７に示されるように、棚ユニット５のスライド移動において、可動部材５５の側端部５５ｂ，５５ｃの内側面は、それぞれ第１低摩擦部材１１の右側面Ｇ１，左側面Ｇ３と摺接し、ブラケット５０の右側面Ｇ２は、第２低摩擦部材１２の右側部の内周面と摺接し、かつ、ブラケット５０の左側面Ｇ４は、第２低摩擦部材１２の左側部の内周面および第３低摩擦部材１３の側部と摺接するようになっており、当該スライド移動に伴い発生する摩擦力が小さい。
【００４６】
また、可動部材５５の右側の側端部５５ｂには、前方から後方に向かうほどに左側の側端部５５ｃ側への突出量が増加する抵抗付与部５５ｆが形成されており、棚ユニット５のスライド移動において可動部材５５が前方に向かうほど可動部材５５は移動し難くなっている。
【００４７】
また、棚ユニット５が図５（ｂ）に示される位置よりもさらに前方側に引っ張られた際には、第１低摩擦部材１１の後端と第２低摩擦部材１２の前端とが接触し、可動部材５５の移動が規制されるため、ブラケット５０から前方への可動部材５５の脱落が防止されている。
【００４８】
また、可動部材５５の側端部５５ｂ，５５ｃは、前後方向に連続していることから、後退位置から第１低摩擦部材１１の後端と第２低摩擦部材１２の前端とが接触するまでの間、可動部材５５がブラケット５０に沿ってスライド移動するように確実に案内することができる。
【００４９】
図５（ｂ）に示されるように、棚ユニット５の荷重バランスにより可動部材５５の後端部が浮き上がると、第３低摩擦部材１３は、ブラケット５０の載置部５０ｂの下面に当接し、棚ユニット５の荷重を支持する。棚ユニット５のスライド移動に伴い発生する振動、可動部材５５の左右方向への傾動等により、可動部材５５の後端部が浮き上がる際にも同様である。このように、第３低摩擦部材１３は、可動部材５５の後端部の浮き上がりを規制し、可動部材５５の脱落を防止する。
【００５０】
棚ユニット５のスライド移動において、右側のブラケット５０に支柱２への係止部分を支点として左側のブラケット５０’側（右側の突出片５２が配置されている側）へ回動させる力が作用すると、右側の突出片５２が右側の支柱２の左側端面２ｂに当接するため、当該回動が規制される。一方、右側のブラケット５０に支柱２への係止部分を支点として左側のブラケット５０’とは反対側に回動させる力が作用すると、チャンネル杆５３で連結された左側のブラケット５０’が左側の支柱２への係止部分を支点として右側のブラケット５０側（左側の突出片５２’が配置されている側）へ回動しようとし、左側の突出片５２’が支柱２’の右側端面２ｂ’に当接するため、当該回動が規制される。このように、右側の係止部分から左側のブラケット５０’までの垂線の寸法（一方の係止部分から他方のブラケットまでの最短距離）は、一対の支柱２，２’のスリット７，７間の寸法および一対の可動部材５５，５５’間の寸法と略同一寸法に保持される。右側と左側が入れ替わった際でも同様である。これらのことから、棚ユニット５を一対のブラケット５０，５０’に沿って安定してスムーズに移動させることができる。
【００５１】
また、上述したように突出片５２とフック５０ｃとの間に支柱２の左側部が、突出片５２’とフック５０ｃ’との間に支柱２’の右側部が嵌入されているため、一対のブラケット５０，５０’がフック５０ｃ，５０ｃ’と支柱２，２’との係止部分を支点として水平方向に揺動や移動することが規制されている。加えて、チャンネル杆５３によって突出片５２，５２’が接続固定されているため、一対のブラケット５０，５０’の相対位置がより一層変化しないようなっている。
【００５２】
また、突出片５２の後端部５２ｄは、支柱２のスリット７に係止されたブラケット５０のフック５０ｃの後端位置よりも後方に位置していることから、突出片５２と支柱２との接触可能な領域が広くなっている。そのため、モーメントアームが長く、より確実にブラケット５０の揺動を規制することができる。
【００５３】
また、チャンネル杆５３が一対の支柱２，２’の間に架設されることで、一対の突出片５２，５２’それぞれの変形を防止することができる。
【００５４】
また、チャンネル杆５３は、側面視コ字状に形成されていることから、チャンネル杆５３の剛性が高く、自身が変形し難い。
【００５５】
また、テーパー部５２ｅが形成されていることにより、支柱２のブラケット５０側の左側端面２ｂに当接可能に配置される第２延設部５２ｃの剛性が高く第２延設部５２ｃが左右方向に撓み変形し難くなっており、ブラケット５０の揺動を確実に規制することができる。
【００５６】
また、一対の突出片５２，５２およびチャンネル杆５３は、載置部５０ｂを基準として、それらの前端面が俯角略７５度傾斜して配置されていることから、突出片５２およびチャンネル杆５３はスライド移動方向に対する剛性が高くなっている。
【００５７】
図６に示されるように、チャンネル杆５３で連結された一対のブラケット５０，５０’に、連結杆５６で連結された一対の可動部材５５，５５’を取付けることで、これらの部材によって上面視矩形状の枠体を成すため、構造強度が高まる。図７に示されるように、棚ユニット５を前進位置に移動させた態様であっても同様である。これにより、一対のブラケット５０，５０’に沿って棚ユニット５を安定してスライド移動させることができる。例えば、棚ユニット５の可動部材５５側だけを片手で掴み、手前方向に引っ張るように操作しても、チャンネル杆５３で連結された一対のブラケット５０，５０’および連結杆５６で連結された一対の可動部材５５，５５’が水平方向に傾動・変形し難いことから、スムーズにスライド移動させることができる。
【００５８】
また、図８に示されるように、一対の突出片５２，５２’およびチャンネル杆５３は、一対の支柱２，２’の間に配置されていることから、棚板５１上に二点鎖線で示す商品を陳列する際の障害となり難く、棚板５１上を広く載置面として利用することができる。
【００５９】
次に、図９を用いて、一対のブラケット５０，５０’の上端面Ｓ１，Ｓ２を俯角１５度傾斜させた態様について説明する。上端面Ｓ１，Ｓ２を俯角１５度傾斜させて支柱２にブラケット５０を取付けることで、突出片５２は、第１延設部５２ｂが支柱２の前端面２ａと略平行かつ当接可能に配置され、第２延設部５２ｃは、支柱２の左側端面２ｂと当接可能に配置される。これらにより、後方向および左方向へのブラケット５０の移動が規制される。また、左側のブラケット５０’についても同様に後方向および右方向への移動が左側の突出片５２’によりブラケット５０’の移動が規制されている。
【００６０】
次に、図１０を用いて、突出片および横杆部材の変形例について説明する。尚、前記実施例に示される構成部分と同一構成部分に付いては同一符号を付して重複する説明を省略する。
【００６１】
前記実施例の突出片５２およびチャンネル杆５３は、各貫通孔に挿通されたボルトがナットにより緊締さている態様として説明したが、本変形例にあっては、図１０（ａ）に示されるように、突出片１５２の後端部１５２ｄの前端面には、頭部が脚部よりも大径に形成され上面視Ｔ字状の二つのピン５４ａ，５４ｂが左右方向に離間して溶接固定されており、チャンネル杆１５３の前端部には、円形の大径部分に円形の小径部分が連なり長手方向中央側にて横向き涙形状に形成された貫通孔Ｈ１と、半円形の大径部分に円形の小径部分が連なり突出片１５２と対向する側端部１５３ａから貫通孔Ｈ１側に切欠き状かつ横向き半涙形状に形成された切欠き孔Ｈ２とが形成されており、貫通孔Ｈ１の大径部分にピン５４ａを、切欠き孔Ｈ２の大径部分にピン５４ｂを、それぞれ挿通させた後、突出片１５２をチャンネル杆１５３の長手方向中央側（図１０（ａ）矢印方向）へと移動させることで、図１０（ｂ）に示されるように、貫通孔Ｈ１の小径部分にピン５４ａが嵌合されるとともに、切欠き孔Ｈ２の小径部分にピン５４ｂが嵌合され、容易に突出片１５２とチャンネル杆１５３とを連結することができる。このとき、突出片１５２の第２延設部１５２ｃと、チャンネル杆１５３の側端部１５３ａとが当接可能に近接している。また、逆の手順を行うことで、容易に突出片１５２とチャンネル杆１５３とを分離させることができる。
【００６２】
また、図７を参照して、一対のブラケット５０，５０’を一対の支柱２，２’に取付けた状態においては、連結された突出片１５２およびチャンネル杆１５３が左右方向へ相対移動することを支柱２，２’によって規制されていることから、チャンネル杆１５３と突出片１５２とが分離することが防止されている。さらに、連結された突出片１５２およびチャンネル杆１５３は、ブラケット５０，５０’が揺動しようとした際に、貫通孔Ｈ１とピン５４ａとの嵌合部分、および、切欠き孔Ｈ２とピン５４ｂとの嵌合部分だけでなく、チャンネル杆１５３の側端部１５３ａとが当接するため、確実に突出片１５２の変形を防止することができる。これらのことから、ブラケット５０，５０’の揺動を確実に規制することができる。
【００６３】
以上、本発明の実施例を図面により説明してきたが、具体的な構成はこれら実施例に限られるものではなく、本発明の要旨を逸脱しない範囲における変更や追加があっても本発明に含まれる。
【００６４】
例えば、前記実施例では、一対の突出片５２，５２’およびチャンネル杆５３は、別体である態様として説明したが、これに限らず、一対の突出片５２，５２’とチャンネル杆５３とが一体形成されている態様であってもよい。
【００６５】
また、突出片５２およびチャンネル杆５３は、金属板を段加工または折曲げ加工して形成された態様として説明したが、これに限らず、金属製の円柱状の棒部材を折曲げ形成して形成されていてもよく、金属や樹脂等を型抜き形成することで形成されていてもよく、その構成が限定されるものではない。
【００６６】
また、突出片５２が支柱２に当接可能に配置される態様として説明したが、これに限らず、突出片５２が支柱２に当接して配置されていてもよい。また、チャンネル杆が突出片５２よりも支柱２側に延設されており、チャンネル杆が支柱２に当接可能または当接するように配置される態様であってもよい。
【００６７】
また、一対の突出片５２，５２’の後端部５２ｄ，５２ｄ’をチャンネル杆５３で連結した態様について説明したが、これに限らず、一対の突出片５２，５２’の前端部５２ａ，５２ａ’や一対のブラケット５０，５０’のアーム板５０ａ，５０ａ’をチャンネル杆５３で連結する態様であってもよく、その構成が限定されるものではない。さらに、チャンネル杆５３に加えて、一対のブラケット５０，５０’の前端部側を追加のチャンネル杆で連結されていてもよい。
【００６８】
また、一対の突出片５２，５２’およびチャンネル杆５３は、前端面が俯角７５度傾斜して取付けられている態様であるとして説明したが、これに限らない。また、取付角度が変更可能な態様であってもよい。
【００６９】
また、突出片５２は、ブラケット５０にボルトナットや接着剤で固定されていてもよく、ブラケット５０に複数固定されている態様であってもよく、その構成が限定されるものではない。一対の突出片５２，５２’とチャンネル杆５３との固定態様についても同様である。
【００７０】
また、突出片５２は、その構成・形状が適宜変更されるものであり、限定されるものではない。例えば、後端部５２ｄ，５２ｄ’が形成されていなくともよい。
【００７１】
また、突出片５２は、支柱２の前端面２ａおよび左側端面２ｂに当接可能に配置されている態様として説明したが、これに限らず、前端面２ａまたは左側端面２ｂに当接可能に配置されていてもよい。
【００７２】
また、ブラケット５０は、正面視Ｌ字状に形成されている態様として説明したが、これに限らず、正面視Ｔ字状に形成されていてもよく、正面視Ｙ字状、正面視Ψ字状等に形成されていてもよく、載置部５０ｂが形成されていなくともよく、限定するものではない。
【００７３】
また、一対のブラケット５０，５０’は、一対の支柱２，２’に限らず、被取付部材は自由に選択されてよい。また、棚ユニット５は、本実施例における棚板５１に限定するものでなく、可動部材５５，５５’に載置可能であればよく、かご状やフレーム材にガラス板が取付けられた態様であってもよい。
【００７４】
案内部は、正面断面視下向きコ字状に形成された可動部材５５，５５’である態様として説明したが、これに限らず、互いに対向する正面断面視横向きＬ字状に形成されていてもよく、棚ユニット５をブラケット５０の側面に沿ってスライド移動可能に案内できる態様であればよい。
【００７５】
また、ブラケット５０の各側面は、単にブラケット５０のアーム板５０ａおよび載置部５０ｂの側端面だけで形成されていてもよく、第１低摩擦部材１１および第２低摩擦部材１２が含まれていることを限定するものではない。
【符号の説明】
【００７６】
１                    棚装置
２，２’              支柱（被取付部材）
５                    棚ユニット
７                    スリット（係止孔）
５０，５０’          ブラケット
５０ｃ，５０ｃ’      フック（係止片）
５２，５２’，１５２  突出片
５３，１５３          チャンネル杆（横杆部材）
５５，５５’          可動部材（案内部）
Ｇ１                  右側面
Ｇ２                  右側面
Ｇ３                  左側面
Ｇ４                  左側面
【図１】
2019136229.tif 000003
【図２】
2019136229.tif 000004
【図３】
2019136229.tif 000005
【図４】
2019136229.tif 000006
【図５】
2019136229.tif 000007
【図６】
2019136229.tif 000008
【図７】
2019136229.tif 000009
【図８】
2019136229.tif 000010
【図９】
2019136229.tif 000011
【図１０】
2019136229.tif 000012